(57)【要約】  グリップ部（２）と、内側フレーム（４０）および外側フレーム（４２）によって画定されるフレーム部（４）とを含み、前記フレーム部は、内側フレームの外周面と外側フレームの内周面との間に配置される衝撃吸収手段（５０）をさらに含む。フレームは、細長体（６２）を有し、かつ外側フレーム（４２）の外面に対向して延在する少なくとも１つのグロメットストリップ（６０）と、内側フレームに形成される第１の穴（４０”）と外側フレームに形成される第２の穴（４２”）と両方の中に延在するストリング（１０、１２）を通過させるための少なくとも１つのグロメット（６６）と、をさらに含む。
2012517873.tif 000002
【特許請求の範囲】
【請求項１】
グリップ部（２、１０２）、フレーム部（４、１０４）、および、前記グリップ部と前記フレーム部とを連結する２つの分岐部（６、１０６）を含むテニスラケットであって、
前記フレーム部が、内側フレーム（４０、１４０）、外側フレーム（４２、１４２）、および、前記内側フレーム（４０、１４０）の外周面（４０’、１４０’）と、前記外側フレーム（４２、１４２）の内周面（４２’、１４２’）との間に配置される衝撃吸収手段（５０、１５０）を含み、
前記フレーム部が、前記外側フレーム（４２、１４２）の前記外周面に接触して位置するように意図された細長体（６２、１６２）と、前記内側フレームに設けられた第１の穴（４０”、１４０”）と前記外側フレームに設けられた第２の穴（４２”、１４２”）との両方に挿入するストリング（１０、１２）を通過させる少なくとも１つのグロメット（６６、１６６）と、を含む少なくとも１つのグロメットストリップ（６０、１６０）をさらに含むことを特徴とするテニスラケット。
【請求項２】
前記内側フレーム（４０、１４０）が、前記外側フレーム（４２、１４２）から離間しており、前記内側フレーム（４０、１４０）と前記外側フレーム（４２、１４２）とが直接接触しないことを特徴とする請求項１に記載のテニスラケット。
【請求項３】
前記内部フレーム（４０、１４０）および／または前記外側フレーム（４２、１４２）が管状であることを特徴とする請求項１または２に記載のテニスラケット。
【請求項４】
前記内側フレーム（４０、１４０）および前記外側フレーム（４２、１４２）の両方が管状であることを特徴とする請求項３に記載のテニスラケット。
【請求項５】
前記内側フレーム（４０）が、前記グリップ部（２）と一体に製造され、かつ、前記外側フレームが、前記内側フレームの外周に延在する外カバー片（４２）であることを特徴とする請求項１〜４のいずれか一項に記載のテニスラケット。
【請求項６】
前記外カバー片（４２）が、前記フレーム部内の前記ストリングの半分以上に亘って、前記フレーム部の頂部（５）に対して対称であることを特徴とする請求項５に記載のテニスラケット。
【請求項７】
前記外カバー片（４２）の各自由端が、前記内部フレームを覆い、これにより、全ての前記水平ストリング（１０）が、前記内部フレーム（４０）と、前記外側フレームを形成する前記外カバー片（４２）と、を組み込むフレーム部に亘って張られることを特徴とする請求項５または６に記載のテニスラケット。
【請求項８】
前記グロメット（６６）それぞれが、圧嵌するように前記外側フレーム（４２）内に設けられた対応する前記穴の断面に近似する断面を有し、また、前記グロメット（６６）それぞれが、前記内側フレーム（４０）に設けられた対応する穴（４０”）の断面よりずっと小さい断面を有し、これにより、前記グロメットと前記内側フレームの穴（４０”）の壁との間に機能的な隙間（J1、J2）を画定することを特徴とする請求項６または７と組み合わされる請求項５に記載のテニスラケット。
【請求項９】
種々のカバーストリップおよび／または種々の衝撃吸収手段を含むことを特徴とする請求項５〜８のいずれか一項に記載のテニスラケット。
【請求項１０】
前記内側フレーム（１４０）が、楕円形状を有し、前記フレーム（１０４）の前記ブリッジ（１４１）を組み込み、また、外側フレーム（１４２）が、前記グリップ部（１０２）から延在し、かつ、前記楕円形状の内側フレーム（１４０）の外側周囲の少なくとも一部分を覆うことを特徴とする請求項１〜４に記載のテニスラケット。
【請求項１１】
前記外側フレーム（１４２）が、前記楕円形の内側フレーム（１４０）の全周囲を覆うことを特徴とする請求項１０に記載のテニスラケット。
【請求項１２】
前記ストリングそれぞれが、前記ストリングが位置するグロメットの一部である対応する穴の断面に近似する外径寸法を有することを特徴とする請求項１０または１１に記載のテニスラケット。
【請求項１３】
前記グロメット（１６６）それぞれが、前記外側フレーム（１４２）に形成される対応する穴（１４２”）および前記内側フレームに設けられる対応する穴（１４０”）に近似する断面を有し、これにより、前記グロメット（１６６）がこれら両方の穴（１４０”、１４２”）に圧嵌することを特徴とする請求項１０〜１２のいずれか一項に記載のテニスラケット。
【請求項１４】
前記グロメットそれぞれが、前記外側フレームに設けられた対応する穴の断面よりずっと小さく、かつ、前記内側フレームに設けられた対応する穴の断面に近似する断面を有しており、これにより、該グロメットが、前記内側フレームの前記穴に圧嵌することを特徴とする請求項１０〜１２のいずれか一項に記載のテニスラケット。
【発明の詳細な説明】
【技術分野】
【０００１】
本発明は、衝撃吸収手段を含むテニスラケットに関する。
【背景技術】
【０００２】
従来のテニスラケットは、グリップ部、フレーム部、および、前記グリップ部と前記フレーム部とを連結する２つの分岐部を含む。このようなラケットには、フレーム全体にストリングが張られる。
【発明の概要】
【発明が解決しようとする課題】
【０００３】
本発明は、既知の解決案の代替案を提供するテニスラケットを提案することを課題とする。本発明は、特に、衝撃吸収および／または打力の分散に関して改善されたラケットを提案することを課題とする。
【課題を解決するための手段】
【０００４】
この課題を解決するために、本発明は、グリップ部、フレーム部、および、前記グリップ部と前記フレーム部とを連結する２つの分岐部、を含むテニスラケットであって、前記フレーム部は、内側フレーム、外側フレーム、および、前記内側フレームの外周面と前記外側フレームの内周面との間に配置される衝撃吸収手段を含むテニスラケットを提供する。フレーム部は、外側フレームの外周面に当てるための細長体と、少なくとも１つの、内側面に設けられる第１の穴と外側フレームに設けられる第２の穴との両方に入れられるストリングが通過する少なくとも１つのグロメットとを含む、少なくとも１つのグロメットストリップをさらに含む。
【０００５】
個別に、または技術的に実行可能な任意の組み合わせで採用される、本発明の有利ではあるが付随的な特徴によると、
・内側フレームは、外側フレームから離間し、外側フレームが直接接触しない；
・内側フレームおよび／または外側フレームは管状である；
・内側フレームおよび外側フレームの両方が管状である；
・内側フレームは、グリップ部と一体に作られ、外側フレームは内側フレームの外周におけるカバー片である；
・外側カバー片は、フレーム部内のストリングの半分以上に亘って、前記フレーム部の頂部に対して対称である；
・カバー片の自由端は、内側フレームを覆い、これにより、全ての水平ストリングが、内側フレームと、外側フレームを形成するカバー片とが共に形成するフレーム部に亘って張られる；
・各グロメットは、圧嵌するように、前記外側フレーム内に設けられた対応する穴の断面に近似する断面を有し、また、各グロメットが、内側フレーム（４０）に設けられた対応する穴の断面よりずっと小さい断面を有し、これにより、グロメットと内側フレームの穴の壁との間に機能的な隙間（J1、J2）を画定する；
・ラケットは、種々のカバーストリップおよび／または種々の衝撃吸収手段を含む；
・内側フレームは、楕円形状を有し、かつ、フレームのブリッジを組み込み、また、外側フレームは、グリップ部から延在し、かつ、楕円形の内側フレームの外側周囲の少なくとも一部分を覆う；
・外側フレームは、楕円形の内側フレームの全周囲を覆う；
・各ストリングは、前記ストリングが位置するグロメットの一部である対応する穴の断面に近似する外径寸法を有する；
・各グロメットは、外側フレームに形成される対応する穴および内側フレームに設けられる対応する穴に近似する断面を有し、これにより、グロメットはこれら両方の穴に圧嵌する；
・各グロメットは、外側フレームに設けられた対応する穴の断面よりずっと小さく、かつ、内側フレームに設けられた対応する穴の断面に近似する外形を有しており、これにより、該グロメットが、内側フレームの穴に圧嵌する。
【０００６】
本発明は、限定することのない例示目的のみのための添付される図を参照に以下に説明される。
【図面の簡単な説明】
【０００７】
【図１】本発明のテニスラケットの正面図である。
【図２】本発明のテニスラケットの斜視図である。
【図３】ラケットの一部を拡大して示す断面斜視図である。
【図４】図３の平面ＩＶにおける断面図である。
【図５】本発明の別の実施形態のテニスラケットを示す斜視図である。
【図６】図５の一部を示す図３に類似した断面斜視図である。
【図７】図６の平面ＶＩＩにおける断面図である。
【発明を実施するための形態】
【０００８】
図１および後続の図に示すテニスラケットは、本発明の第１実施形態に該当する。通常、テニスラケットは、部分的に示すグリップ部２と、内側に水平ストリング１０および垂直ストリング１２が張られ、織り合わされるフレーム部４とを含む。２つの連結分岐部６は、グリップ部２からフレーム部４に向けて分岐する。
【０００９】
フレーム部４は、下記に内側フレーム４０および外側フレーム４２として示される、内側部および外側部を有する。より正確には、例えば、グリップ部、２つの分岐部、および、内側フレームで形成されるアセンブリが既知の手法において組み立てられる。このアセンブリが、アルミニウムまたは複合材になどのテニスラケットの製造に通常採用される任意の適切な材料で作られてもよい。
【００１０】
課題解決のために、例えば、ラケットの様々な部品を備える母体が先ず製造され、次いで型に配置される。次いで、通常のブロー成形および硬化作業の後、完成したラケットが得られる。説明を明確にするために、いくつかのラケットの形状定義が、図を参照にして下記に記される。図中において、先ず、グリップ部の軸と一致し、故にラケットがグリップ部の端部を下に位置する際に鉛直である、ラケットの主軸Ａに留意されたい。また、フレーム部の幅が最も広い領域を通過する、軸Ａに垂直な中間横断直線Ｄに留意された。最後に、主軸Ａと中間横断直線Ｄとの交点と一致する中心Ｃに留意されたい。
【００１１】
前から見た際に馬蹄状を成す外側フレーム４２は、内部フレーム４０を部分的に覆うカバー片を構成する。所定位置において、この外側フレームは、１８０°を超える角度部分に亘って、ラケットの頂部５に対して対象である。言い換えると、このカバー片の両自由端４３は、直線Ｄより下方に位置する。
【００１２】
内側フレーム４０は、内側フレームの全長の大部分に亘って、閉じられた外形によって画定された空洞部を有するという意味において管状である。外側フレーム４２も同様に管状である。
【００１３】
好ましくは、カバー片は、最も低い水平ストリング１０’を下回るように延在する。このようにすると、全ての水平ストリングが、下記に詳述されるグロメットストリップによって外側フレーム４２付近で張られることになる。
中点Ｃおよび各自由端４３を結ぶ直線Ｄ１と、上述の直線Ｄとの間の角度αは、有利に４５°より大きく、好ましくは６０°より大きい。
【００１４】
内側フレーム４０は、外面４０’を有し、外側フレーム４２は、内面４２’を有する。
本発明によると、特に図４に示すように、衝撃吸収手段はこれらの２つの面の間に配置される。
【００１５】
示される事例において、これらの衝撃吸収手段は、対向する面４０’および４２’に沿って均等に分配される複数のエラストマー材ブロックによって形成される。しかしながら、一帯のエラストマー材が代用して設けられてもよい。
【００１６】
これらのエラストマー材ブロックは、衝撃吸収機能をもたらすための通常の特性を有する。ブロックは、対向する内側および外側フレームの対向する面の間で、例えば接着で固定されてもよい。各ブロックを内側フレームおよび／または外側フレームに固定することは、このことがラケットの様々な部品のアセンブリを容易にするうえで利点である。
【００１７】
断面図に示めすように、２組のブロック５０’および５０”が有利に存在する。ストリングの中間面Ｐの両側にそれぞれ、すなわち、グロメットスリップのグロメットの両側にそれぞれ配置される。ブロック５０’および５０”は、内側フレーム４０の外面４０’と外側フレーム４２の内面４２’との間に配置される。これにより、内側フレーム４０は、外側フレーム４２から所定距離離れ、内側フレーム４０と外側フレーム４２とは直接接触しない。言い換えると、内側フレーム４０と外側フレーム４２とは接触する面を有さない。このことが、ブロック５０’および５０”にその防振および衝撃吸収機能を効果的に実働させる。また、断面図に示すように、内側フレーム４０は通常の楕円形を有し、一方外側フレーム４２はインゲン豆の全体の形を有し、それにより、対向する面４０’および４２’上で最大寸法が得られることを留意するべきである。
【００１８】
カバー片４２は、例えば、グリップ部、２つの分岐部、および内側フレームによって形成されるアセンブリと同様の材料から作られる。カバー片を製造方法は、このアセンブリの製造方法と同様であってよい。図示しない代替案では、カバー片は内側フレーム４０と異なる材料および製造方法で製造される。特に、カバー片４２は、中実構造を有するようにブロー成形以外の方法で製造されてもよい。
【００１９】
ラケットは、例えば、特許文献１に記載されるものと同類のグロメットストリップ６０を含む。「シャンク支持クリート（shank-bearing cleat）とも呼ばれる各グロメットストリップは、ストリング１２の支持面６４を画定するカバー片の外周に対して配置される本体６２を含む。本体は、内側および外側フレームと協働するグロメット６６を延長する。
【００２０】
より正確には、外側フレーム４２には、対応するグロメット６６をそれぞれ受容する穴４２”が設けられる。穴の断面は、グロメットの外形と実質的に同一であり、よってグロメットはそれらの穴４２”に圧嵌される。
【００２１】
また、内側フレーム４０には対応するグロメット６６をそれぞれ受容する穴４０”が設けられる。しかしながら、穴４２”とは異なり、穴４０”は、グロメット６６の外形よりずっと大きな断面を有する。その結果、グロメット６６と穴４０”の内壁との間に相互接触はなく、横方向および縦方向において隙間Ｊ１およびＪ２を画定する。
【００２２】
具体的には、内側フレーム４０とグロメット６６との間が非接触なので、ボールが当たった際に生じる振動は外側カバー片に直接伝達する。次にカバー片４２はこれらの振動を、衝撃吸収手段を介して内側フレームに伝達する。その結果、振動は内側フレーム４０のレベルで、よって使用者にとって明らかに減少する。このことは、筋骨格系問題などの怪我の防止に関する優位点があることがわかる。
【００２３】
グリップ部および内側フレームで形成されるアセンブリは、種々のタイプの外側カバー片および／または種々の衝撃吸収材と合わせられてもよい。カバー片は、次の特性：形状、硬度、剛性、材料、寸法、色に関して様々であってもよい。衝撃吸収材は、次の特性：形状、硬度、剛性、寸法、厚み、数、材料、色に関して様々であってもよい。
【００２４】
残りの図は、本発明の第２実施形態を示す。これらの図において、符号は、前出の図の符号に類似しており、１００が足されたものである。
【００２５】
この異形のラケットは、従来にように外側フレーム１４２がグリップ部から延在する点で上述のラケットとは異なる。次いで、この外側フレームに断面は、標準フレーム部の断面と若干異なる。また、内側フレーム１４０は、楕円形であり、ブリッジ１４１を含む。外側フレーム１４２および内側フレーム１４０は管状である。
【００２６】
事例に示すように、２つのフレーム間の連結領域は、ブリッジ１４１を形成する領域以外、内側フレーム１４０の全周囲に亘って延在する。しかしながら、図示しない変形において、外側フレームは、内側フレームの周囲の一部のみに亘って延在してもよい。次いで、外側フレームは、それぞれがグリップ部から延在する２つの分岐部を呈し、内側のストリングの対応する側の一部を覆う。この図示しない変形において、内側フレームおよび外側フレームが重なるところである機械的結合領域は、直線Ｄの上方で有利に延在する。
【００２７】
第１実施形態と同様に、エラストマーブロック１５０’および１５０”が内側フレームおよび外側フレームの対向する面１４０’および１４０”の間にそれぞれ配置される。また、グロメットストリップ（１６０）が２つのフレーム間に配置される。ブロック１５０’および１５０”は、内側フレーム１４０の外面１４０’と外側フレーム１４２の内面１４２’との間に配置される。したがって、内側フレームは、外側フレーム１４２から所定距離離れており、内側フレーム１４０と外側フレーム１４２とは直接接触していない。
【００２８】
外側フレーム１４２には、対応するグロメットストリップ１６０の一部であるグロメット１６６をそれぞれ受容する穴１４２”が設けられる。第１実施形態のように、これらの穴１４２”の断面は、グロメットの外形と実質的に同一であり、よってグロメットはそれらの穴に圧嵌される。
【００２９】
また、内側フレーム１４０には対応するグロメット１６６をそれぞれ受容する穴１４０”が設けられる。しかしながら、第１実施形態とは対照的に、穴１４０”は、グロメットの外形と実質的に同一の断面を有する。その結果、これらのグロメットは、上述のように穴１４２”にだけでなく、穴１４０”にも圧嵌される。言い換えると、第１実施形態とは対照的に、内側フレームの穴とグロメットとの間に隙間はない。
【００３０】
上述のように、この第２実施形態において、内側フレーム１４０の一部であるブリッジ領域１４１は、外側フレーム１４２によって直接指示されていない。その結果、ブリッジのすぐ上に位置する、フレームのストリングが張られた領域は、ボールを打った際に、標準のラケットの同領域ほどパワーを伝達しない。
【００３１】
したがって、このことがパワー領域を均質にし、打球の質を改善する。標準のラケットでは、ストリングの所定領域によって伝達されるパワーがフレーム部の上部の方向に向けて減少し、その結果、加えられたパワーに関して、全体的に不安定になる。これが、本発明が改善する欠点である。
【００３２】
この第２実施形態の有利な特徴によると、グロメットストリップのグロメット１６６は、ストリング１１２の外形と実質的に同一の断面を有し、その結果、ストリングとそれを受容するグロメットとの間に強制的な接触をもたらす。これらの条件下で、ボールを打った際に、このように動作させられるストリングは上述のグロメットに作用し、それにより、ストリングは楕円の内側フレーム１４０に支えられるようになる。したがって、振動はストリングから内部フレームに伝達し、次いで２つのフレーム１４０および１４２間に配置されたブロックによって減少する。
【００３３】
図示しない変形において、内側および外側フレーム１４０および１４２のうち一方のみが管状である。
【００３４】
図示しない変形において、図６および７の実施形態の代替案として、各グロメットが、外側フレームに形成される各穴の断面より実質的に小さく、内部フレームに形成された各穴の断面に近似する外形を有する。それにより、グロメットは、内側フレームの穴にのみ圧嵌される。グロメットと外側フレームの対応する穴との間に隙間はない。
【符号の説明】
【００３５】
２、１０２  グリップ部
４、１０４  フレーム部
５  フレーム部の頂部
６、１０６  分岐部
１０、１２  ストリング
４０、１４０  内側フレーム
４０’、１４０’ 内側フレームの外周面
４０”、１４０”  第１の穴
４２、１４２  外側フレーム
４２’、１４２’  外側フレームの内周面
４２”、１４２”  第２の穴
５０、１５０  衝撃吸収手段
６０、１６０  グロメットストリップ
６２、１６２  細長体
６６、１６６  グロメット
【図１】
2012517873.tif 000003
【図２】
2012517873.tif 000004
【図３】
2012517873.tif 000005
【図４】
2012517873.tif 000006
【図５】
2012517873.tif 000007
【図６】
2012517873.tif 000008
【図７】
2012517873.tif 000009
【国際調査報告】
2012517873.tif 000010
2012517873.tif 000011
2012517873.tif 000012
2012517873.tif 000013
2012517873.tif 000014
2012517873.tif 000015